(57)【要約】【課題】レンズフードとしての長さを確保しつつ、比較的小型のレンズ鏡筒に被さった状態で取り付け可能なレンズフードを提供する。【解決手段】レンズ鏡筒の光学系に不要光が入射するのを抑制するためのレンズフードであって、第１開口端１１２と第２開口端１１３とを有する筒状のフード胴部１１１と、第１開口端１１２に設けられフード胴部１１１の中心線ＣＬに平行な第１方向に沿って延びる円筒状の支持部１２０と、支持部１２０の内周部に形成され、使用時にレンズ鏡筒２０の先端部２４に嵌め込まれる第１結合部１４０と、支持部１２０の内周部に形成され、非使用時に先端部２４に嵌め込まれ、第１結合部１４０および第１開口端１１２よりも第２開口端１１３側に配置された第２結合部１５０と、を備えたレンズフード１００。【選択図】図５
2011128545.tif 000002
【特許請求の範囲】
【請求項１】
レンズ鏡筒の光学系に不要光が入射するのを抑制するためのレンズフードであって、
第１開口端と第２開口端とを有する筒状のフード胴部と、
前記第１開口端に設けられ、前記フード胴部の中心線に平行な第１方向に沿って延びる円筒状の支持部と、
前記支持部の内周部に形成され、使用時に前記レンズ鏡筒の先端部に嵌め込まれる第１結合部と、
前記支持部の内周部に形成され、非使用時に前記先端部に嵌め込まれ、前記第１結合部および前記第１開口端よりも前記第２開口端側に配置された第２結合部と、
を備えたレンズフード。
【請求項２】
前記支持部は、前記第１開口端よりも前記第２開口端側に突出している、
請求項１に記載のレンズフード。
【請求項３】
前記第１開口端は、前記第１方向において前記第１結合部と前記第２結合部との間に配置されている、
請求項１または２に記載のレンズフード。
【請求項４】
前記支持部と前記フード胴部との径方向間には、空間が形成されている、
請求項１から３のいずれかに記載のレンズフード。
【請求項５】
前記第１結合部が前記先端部に嵌め込まれたときの前記レンズ鏡筒に対する取り付け角度は、前記第２結合部が前記先端部に嵌め込まれたときの前記レンズ鏡筒に対する取り付け角度と異なっている、
請求項１から４のいずれかに記載のレンズフード。
【請求項６】
前記第１結合部は、円周方向に等間隔に配置され前記レンズ鏡筒の前記先端部に嵌め込みが可能な複数の第１係合部を有し、
前記第２結合部は、円周方向に等間隔に配置され前記レンズ鏡筒の前記先端部に嵌め込みが可能な複数の第２係合部を有し、
前記第１方向から見た場合に、前記第１係合部の位置は前記第２係合部の位置と円周方向にずれている、
請求項１から５のいずれかに記載のレンズフード。
【請求項７】
前記第１係合部および前記第２係合部は、バヨネット機構を構成する係合爪および係合溝のいずれか一方である、
請求項１から６のいずれかに記載のレンズフード。
【請求項８】
前記第１結合部を嵌め込むときの前記レンズ鏡筒に対する回転方向は、前記第２結合部を嵌め込むときの前記レンズ鏡筒に対する回転方向と一致する、
請求項１から７のいずれかに記載のレンズフード。
【請求項９】
前記フード胴部の前記第２開口端から前記第１開口端と反対側へ延びる１対の第１突出部と、
前記フード胴部の前記第２開口端から前記第１開口端と反対側へ延びる１対の第２突出部と、をさらに備え、
前記第１突出部および前記第２突出部は、円周方向に交互に配置されており、
前記第１突出部の前記第１方向の寸法は、前記第２突出部の前記第１方向の寸法よりも大きい、
請求項１から８のいずれかに記載のレンズフード。
【請求項１０】
被写体の光学像を形成する前記光学系と、前記先端部と、を有するレンズ鏡筒と、
前記光学像の画像データを取得するための本体部と、
請求項１から９のいずれかに記載のレンズフードと、
を備えた撮像装置。
【請求項１１】
前記第１結合部が前記レンズ鏡筒の前記先端部に嵌め込まれた場合に、前記第１突出部が上下方向に対向し、
前記第２結合部が前記レンズ鏡筒の前記先端部に嵌め込まれた場合に、前記第２突出部が上下方向に対向する、
請求項１０に記載の撮像装置。
【請求項１２】
前記本体部は、前記光学像を電気信号に変換する撮像素子を有しており、
前記撮像素子は、前記光学系を通る光を受ける矩形の撮像面を有しており、
前記光学系は、焦点距離が最小の状態で前記撮像面の角に到達する光が通る第１光路を有しており、
前記第１結合部が前記先端部に嵌め込まれた場合に、前記第１方向における前記第２結合部から前記第１光路までの第１距離は、前記第１方向における前記第２結合部から前記第１結合部までの第２距離よりも短い、
請求項１０に記載の撮像装置。
【請求項１３】
レンズ鏡筒の光学系に不要光が入射するのを抑制するためのレンズフードであって、
第１開口端と第２開口端とを有する筒状のフード胴部と、
前記第１開口端に設けられ、前記フード胴部の中心線に平行な第１方向に沿って延びる円筒状の支持部と、
前記支持部の内周部に形成され、使用時に前記レンズ鏡筒の先端部に嵌め込まれる第１結合部と、
前記支持部の内周部に形成され、非使用時に前記先端部に嵌め込まれ、前記第１結合部よりも前記第２開口端側に配置された第２結合部と、を備え、
前記光学系は、光学有効領域の外縁を形成する光が通る第１光路を有しており、
前記第１結合部が前記先端部に嵌め込まれた場合に、前記第１方向における前記第２結合部から前記第１光路までの第１距離は、前記第１方向における前記第２結合部から前記第１結合部までの第２距離よりも短い、
レンズフード。
【発明の詳細な説明】
【技術分野】
【０００１】
ここに開示される技術は、撮像装置のレンズ鏡筒に装着可能なレンズフードおよびそれを備えた撮像装置に関する。
【背景技術】
【０００２】
フレアやゴーストの原因となる不要光を遮断するために、レンズ鏡筒の先端部にレンズフードがしばしば装着される。レンズ鏡筒にレンズフードを装着すると、レンズフードにより不要光のほとんどが遮断されるので、フレアやゴーストの発生を抑制できる。
しかし、レンズフードがレンズ鏡筒に装着されている場合、撮像装置全体が非常に嵩高くなり持ち運びに適さない。
そこで、特許文献１では、撮像装置に収納可能なレンズフードが開示されている。収納時のレンズフードは、レンズ鏡筒に被せるようにして撮影時とは逆向きにレンズ鏡筒に装着される。
一方、撮像面の形状に対応して成形された花形レンズフードが提案されている。撮影光学系によって形成される被写体の光学像は一般的に円形であるのに対して、撮像装置において被写体の光学像が形成される撮像面は一般的に長方形である。そのため、撮像光学系により形成された光学像の上下左右は撮像面からはみ出してしまい、はみ出した部分は撮像の対象とならない。このような場合には、被写体からの光のうちで実際に撮像の対象となる光だけを通すように部分的にフードが延長された花形レンズフードが有効である。
【０００３】
例えば、特許文献２では、第１のフード環および第２のフード環を備えた花形レンズフードが開示されている。この文献には、第１のフード環が第２のフード環に対して光軸方向に移動可能に設けられた花形レンズフードと、第１のフード環が第２のフード環に対して回転可能に設けられた花形レンズフードと、が示されている。これらのレンズフードは、撮像装置に設けられた内蔵ストロボと干渉することなく、レンズ鏡筒に被さった状態でレンズ鏡筒に装着される。
【先行技術文献】
【特許文献】
【０００４】
【特許文献１】実開昭６４−３０５３９号公報
【特許文献２】特開平７−１４０５２２号公報
【発明の概要】
【発明が解決しようとする課題】
【０００５】
しかしながら、レンズフードをレンズ鏡筒に被せて、特許文献１のようにレンズ鏡筒に装着するためには、レンズフードの長さを短くしなければならない場合がある。この場合は、不要光の入射が十分に抑制されないおそれがある。
一方、特許文献２のレンズフードでは、レンズフードの長さを確保しつつ、レンズフードをレンズ鏡筒に被せて装着することが可能である。しかしながら、レンズフードの構造が複雑になるので、コストが増大するおそれがある。
【課題を解決するための手段】
【０００６】
ここに開示されたレンズフードは、レンズ鏡筒の光学系に不要光が入射するのを抑制可能であって、筒状のフード胴部と、円筒状の支持部と、第１結合部と、第２結合部と、を備えている。フード胴部は、第１開口端と第２開口端とを有する。支持部は、第１開口端に設けられ、フード胴部の中心線に平行な第１方向に沿って延びている。第１結合部は、支持部の内周部に形成され、使用時にレンズ鏡筒の先端部に嵌め込まれる。第２結合部は、支持部の内周部に形成され、非使用時に先端部に嵌め込まれ、第１結合部および第１開口端よりも第２開口端側に配置されている。
ここで、使用時とは、レンズフードが不要光の入射を抑制するようにレンズ鏡筒にレンズフードを装着する場合を意味している。非使用時とは、レンズフードをレンズ鏡筒に被せるように装着する場合を意味している。筒状とは、中心線を板状部材が取り囲んでいる形状をいい、必ずしも円筒状でなくてよい。例えば、ここでの筒状という概念には、円筒状の他に、中心線に垂直な断面での断面形状が多角形である形状も含まれる。
【０００７】
このレンズフードでは、使用時に第１結合部がレンズ鏡筒の先端部に嵌め込まれ、非使用時に第２結合部がレンズ鏡筒の先端部に嵌め込まれる。第２結合部が第１結合部および第１開口端よりも第２開口端側に配置されているので、第２結合部を先端部に嵌め込んでいる状態でレンズフードがカメラ本体部と干渉しにくくなる。このため、レンズ鏡筒が比較的小型の場合であっても、レンズフードの長さを必要以上に短くすることなく、非使用時にレンズフードをレンズ鏡筒に装着することができる。
【発明の効果】
【０００８】
このレンズフードによれば、簡素な構造を用いて、レンズフードの長さを必要以上に短くすることなく、レンズ鏡筒に被さった状態でレンズフードをレンズ鏡筒に装着することが可能になる。
【図面の簡単な説明】
【０００９】
【図１】（Ａ）レンズフードを装着しない状態でのデジタルカメラ１の側面図（望遠端）。（Ｂ）レンズフードを装着しない状態でのデジタルカメラ１の側面図（広角端）。（Ｃ）レンズフードを装着しない状態でのデジタルカメラ１の側面図（レンズ鏡筒２０が沈胴した状態）。
【図２】使用時にレンズ鏡筒２０に装着されたレンズフード１００の縦断面図。
【図３】図２のＰ１部分の拡大図。
【図４】使用時にレンズ鏡筒２０に装着されたレンズフード１００の横断面図。
【図５】（Ａ）非使用時にレンズ鏡筒２０に装着されたレンズフード１００の縦断面図。（Ｂ）図５（Ａ）のＰ２部分の拡大図。
【図６】ＣＭＯＳイメージセンサ１４に設けられた撮像面１５の正面図。
【図７】（Ａ）レンズフード１００を外周側から見た場合の展開図（取り付け前の状態）。（Ｂ）レンズフード１００を外周側から見た場合の展開図（レンズ鏡筒２０の先端部２４が支持部１２０に挿入された状態）。（Ｃ）レンズフード１００を外周側から見た場合の展開図（使用時に取り付けが完了した状態）。
【図８】（Ａ）レンズフード１００を外周側から見た場合の展開図（取り付け前の状態）。（Ｂ）レンズフード１００を外周側から見た場合の展開図（レンズ鏡筒２０の先端部２４が支持部１２０に挿入された状態）。（Ｃ）レンズフード１００を外周側から見た場合の展開図（非使用時に取り付けが完了した状態）。
【図９】（Ａ）第２実施形態に係るレンズフード２００の部分断面図（使用時）。（Ｂ）第３実施形態に係るレンズフード３００の部分断面図（使用時）。
【図１０】（Ａ）第４実施形態に係るレンズフード４００の部分断面図（使用時）。（Ｂ）第４実施形態に係るレンズフード４００の部分断面図（非使用時）。
【発明を実施するための形態】
【００１０】
〔第１実施形態〕
第１実施形態に係るデジタルカメラ１（撮像装置の一例）を図に基づいて説明する。
＜デジタルカメラの構成＞
図２に示すように、デジタルカメラ１は、被写体の画像（以下撮影画像という）を取得するためのレンズ鏡筒一体型のカメラであり、カメラ本体部１０と、レンズ鏡筒２０と、レンズフード１００と、を有している。
以下の説明では、デジタルカメラ１が横撮り姿勢の状態にある場合の鉛直上側を上もしくは上側という。ここで横撮り姿勢とは、光学系Ｌの光軸ＡＸに平行な方向（以下、光軸方向という）と水平方向とが平行であり、横長の長方形である撮影画像の長辺に平行な方向が撮影画像内での被写体の水平方向と一致する場合に、レリーズ釦１３（図４）が撮影時に押される方向が鉛直下向きと概ね一致する姿勢をいう。
【００１１】
また、デジタルカメラ１の横撮り姿勢での鉛直下側を下もしくは下側という。さらに、デジタルカメラ１の横撮り姿勢において被写体側からデジタルカメラ１を見た場合の右側を右もしくは右側という。同様に、デジタルカメラ１の横撮り姿勢において被写体側からデジタルカメラ１を見た場合の左側を左もしくは左側という。さらに、デジタルカメラ１の横撮り姿勢での被写体側を前もしくは前側という。
また、デジタルカメラ１の横撮り姿勢での鉛直方向を上下方向もしくは縦方向という。同様に、デジタルカメラ１の横撮り姿勢での左右の方向を左右方向もしくは横方向という。さらに、デジタルカメラ１の横撮り姿勢での光軸方向を前後方向といい、特に被写体を向く方向を前方もしくは前方向という。
＜１：レンズ鏡筒＞
レンズ鏡筒２０は、被写体の光学像（以下、被写体象ともいう）を形成する光学系Ｌを収容している。
【００１２】
図１および図２に示すように、レンズ鏡筒２０は、第１レンズ筒２１と第２レンズ筒２２とを備えている。第２レンズ筒２２はカメラ本体部１０の前面に固定されている。第１レンズ筒２１は、第２レンズ筒２２に対して光軸方向に移動可能に設けられている。例えば、第１レンズ筒２１は、レンズ鏡筒２０に設けられたＤＣモータ（図示せず）によって光軸方向に駆動される。
第１レンズ筒２１は、ズームレンズ２３を内側に支持している（図４）。ズームレンズ２３は、光学系Ｌの一部であり、光学系Ｌの焦点距離を調節するためのレンズである。第１レンズ筒２１がズームレンズ２３とともに光軸方向に移動することで、光学系Ｌの焦点距離が調節される。第１レンズ筒２１が光軸方向に移動できる範囲は制限されている。そのため、焦点距離は、所定の最小値および最大値の範囲に制限されている。
【００１３】
ここで、望遠端とは、焦点距離が最大値である場合の光学系Ｌの状態を意味している。また、広角端とは、焦点距離が最小値である場合の光学系Ｌの状態を意味している。
図１（Ａ）には、望遠端でのレンズ鏡筒２０が示されている。望遠端では、第１レンズ筒２１は最も前方に位置している。図１（Ｂ）には、広角端でのレンズ鏡筒２０が示されている。広角端では、第１レンズ筒２１の前方への移動量は望遠端の場合に比べて小さい。
図１（Ｃ）には、沈胴した状態でのレンズ鏡筒２０が示されている。第１レンズ筒２１を広角端の状態からさらに光軸方向に後退させることにより、レンズ鏡筒２０は沈胴した状態となる。第１レンズ筒２１が沈胴すると、レンズ鏡筒２０の光軸方向の長さは最も短くなる。レンズ鏡筒２０を沈胴が可能な構成にすることによって、デジタルカメラ１の小型化が可能である。なお、レンズ鏡筒２０に被さった状態でレンズフード１００をレンズ鏡筒２０に装着する場合は、デジタルカメラ１をコンパクトにするため、レンズ鏡筒２０を沈胴した状態にしておくことが望ましい。
【００１４】
第１レンズ筒２１には、レンズフード１００を取り付けるための先端部２４が設けられている。図７（Ａ）に示すように、レンズ鏡筒２０の先端部２４には、円周方向に延びた径方向の突起であるバヨネット２４ａおよびバヨネット２４ｂが設けられている。バヨネット２４ａおよび２４ｂは同一形状であり、円周方向に沿って等間隔に、つまり１８０度の間隔で配置されている。バヨネット２４ａまたはバヨネット２４ｂへは、レンズフード１００に設けられた後述する溝（第１溝１４１または第２溝１５１）を嵌め込むことができる。本実施形態では、バヨネット２４ａは先端部２４の上部に設けられており、バヨネット２４ｂは先端部２４の下部に設けられている。
＜２：カメラ本体部＞
カメラ本体部１０（本体部の一例）について、図を用いて説明する。
【００１５】
カメラ本体部１０は、撮影実行の指示を与えるレリーズ釦１３や、フラッシュ装置１６などを備えている（図４）。
また、カメラ本体部１０は、画像データを生成する撮像部（図示せず）と、画像データを記録媒体に記録する記録部（図示せず）とを備えている。撮像部は、光学系Ｌによって形成された被写体像を電気信号に変換するＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ１４を備え（図２）、被写体像から撮影画像を表す画像データを生成する。
ＣＭＯＳイメージセンサ１４には被写体像が結像される長方形の撮像面１５が設けられている。撮像面１５の内側に結像された被写体像は電気信号に変換される。図６に示すように、撮像面１５の外周は、第１長辺１５ａ、第２長辺１５ｂ、第１短辺１５ｃおよび第２短辺１５ｄにより構成されている。また、頂点１５ｅ〜１５ｈは撮像面１５の４つの頂点である。撮像面１５の形状は、撮影によって得られる撮影画像の形状と対応している。
【００１６】
なお、デジタルカメラ１が横撮り姿勢であるとき、図６での撮像面１５の縦方向（第１短辺１５ｃおよび第２短辺１５ｄに平行な方向）は、デジタルカメラ１の上下方向に対応している。このとき、図６での撮像面１５の横方向（第１長辺１５ａおよび第２長辺１５ｂに平行な方向）は、デジタルカメラ１の左右方向に対応している。
フラッシュ装置１６は、カメラ本体部１０の上部に設けられており、ランプ（図示せず）を備えたフラッシュ本体１６ａと、フラッシュ本体１６ａを収納可能なフラッシュ収納部１６ｂと、を含んでいる。フラッシュ本体１６ａは、撮影のタイミングに合わせて被写体に向けてランプから放射光を発する。
フラッシュ本体１６ａは、カメラ本体部１０の上側に突き出した状態、つまりポップアップした状態で発光する。図１（Ｂ）には、ポップアップしたときのフラッシュ本体１６ａが示されている。図１（Ａ）には、フラッシュ本体１６ａを収納したときのフラッシュ収納部１６ｂが示されている。フラッシュ本体１６ａは、カメラ本体部１０の上部に設けられた回転軸（図示せず）によって支持されており、回転軸を中心にして回転することで収納された状態からポップアップした状態となる。
【００１７】
フラッシュ本体１６ａがポップアップした状態では、ランプはカメラ本体部１０の上方に配置される。そのため、ランプから放射された光は、被写体全体に照射される。ランプをカメラ本体部１０の上方に配置するために、ポップアップした状態でのフラッシュ本体１６ａは、前方へ傾斜しながらカメラ本体部１０の上側へ突き出している。これに対応して、フラッシュ収納部１６ｂは、フラッシュ本体１６ａを収納できるように、カメラ本体部１０の前方へ突き出している。
＜３：レンズフード＞
次に、本実施形態のレンズフード１００の構成について図を用いて説明する。
レンズフード１００は、光学系Ｌへの不要光の入射を抑制するための部品であり、例えば合成樹脂を使って一体成形されている。本実施形態では、レンズフード１００はいわゆる花形レンズフードである。レンズフード１００は、使用時におけるレンズ鏡筒２０への装着と、非使用時におけるレンズ鏡筒２０への装着と、が可能となっている。
【００１８】
図２〜図５に示すように、レンズフード１００は、フード本体１１０と、円筒状の支持部１２０と、第１結合部１４０と、第２結合部１５０と、を有している。フード本体１１０は不要光を遮断するために設けられている。支持部１２０は、レンズ鏡筒２０の先端部２４に取り付け可能であり、フード本体１１０を支持する円筒状の部材である。
＜３．１：フード本体＞
フード本体１１０は、筒状の部材であり、フード胴部１１１と、１対の第１突出部１１４と、１対の第２突出部１１５と、を有している。フード胴部１１１は、第１開口端１１２と第２開口端１１３とを有している。フード胴部１１１の第１開口端１１２は支持部１２０に連結されている。また、フード胴部１１１の第２開口端１１３は第１突出部１１４および第２突出部１１５に連結されている。第１突出部１１４は、第２開口端１１３から第１開口端１１２と反対側へ延びる花びら形状の部材である。第２突出部１１５は、第２開口端１１３から第１開口端１１２と反対側へ延びる花びら形状の部材である。
【００１９】
ここで、フード本体１１０（もしくは、フード胴部１１１）の中心線ＣＬについて説明する。フード本体１１０の形状は、後述するように撮像面１５の形状に対応している。一般に、撮像面１５の形状は、縦方向および横方向に対称である。そのため、フード本体１１０の形状は、使用時にレンズフード１００がレンズ鏡筒２０に装着されたときに、上下方向および左右方向にそれぞれ対称であることが望ましい。言い換えれば、フード本体１１０は、１８０度の回転において対称性を有するように形成されており、そのときの対称の中心軸がフード本体１１０（もしくは、フード胴部１１１）の中心線ＣＬである。
なお、レンズフード１００は、中心線ＣＬと光軸ＡＸとが一致するようにレンズ鏡筒２０に取り付けられる。したがって、レンズ鏡筒２０に装着された状態では、中心線ＣＬは、光軸ＡＸと一致する（図２〜図５）。この場合は、フード本体１１０の中心線ＣＬに平行な方向（第１方向の一例。以下、中心線ＣＬ方向ともいう）は光軸方向と一致する。また、中心線ＣＬ方向に沿って第１開口端１１２からフード本体１１０の内側へ向かう方向を、以下では先端方向という。
【００２０】
フード胴部１１１は、第１開口端１１２を含む第１環部１１１ａと、第２開口端１１３を含む第２環部１１１ｂと、を有している。
第１環部１１１ａは、支持部１２０から先端方向に向かって延びている。また、第１環部１１１ａの内径は、先端方向に向かうに従って大きくなっている。つまり、第１環部１１１ａは、先端方向に向かうにつれて中心線ＣＬから離れるように傾斜している。
第２環部１１１ｂは、第１環部１１１ａに連結されている。第２環部１１１ｂは、第１環部１１１ａから先端方向に向かって延びている。また、第２環部１１１ｂの内径は、先端方向に向かうに従って大きくなっている。つまり、第２環部１１１ｂは、先端方向に向かうにつれて中心線ＣＬから離れるように傾斜している。第２環部１１１ｂが中心線ＣＬに対して成す傾斜角は、第１環部１１１ａが中心線ＣＬに対して成す傾斜角よりも小さい。第２開口端１１３には第１突出部１１４および第２突出部１１５が設けられている。以下、第２開口端１１３と第１突出部１１４との境界および第２開口端１１３と第２突出部１１５との境界を境界ＢＬとする。
【００２１】
第１突出部１１４は、第２開口端１１３の円周方向に沿って等間隔に配置されている。同様に、第２突出部１１５は、第２開口端１１３の円周方向に沿って等間隔に配置される。そのため、第１突出部１１４および第２突出部１１５は、中心線ＣＬを挟んでそれぞれ対向している。このとき、第１突出部１１４の対向する方向は、第２突出部１１５の対向する方向と直交している。また、第１突出部１１４と第２突出部１１５との間には、４つの切欠部１１６が形成されている。なお、第１突出部１１４や第２突出部１１５を形成する方法としては、例えば合成樹脂を使った一体成形が考えられる。
図４には、第１突出部１１４の寸法Ｗ１および第２突出部１１５の寸法Ｗ２が示されている。寸法Ｗ１および寸法Ｗ２は、それぞれ第２開口端１１３から中心線ＣＬ方向に測った第１突出部１１４および第２突出部１１５の寸法である。第１突出部１１４および第２突出部１１５は、長方形の撮像面１５の形状に対応してＷ１＞Ｗ２の関係を満たすように設けられている。
【００２２】
切欠部１１６は、撮像面１５の頂点１５ｅ〜１５ｆに対応して設けられている。４つの切欠部１１６の頂点を通るようにフード本体１１０を切断することにより得られる断面は、境界ＢＬで切断した断面と一致している。
＜３．２：支持部＞
支持部１２０の構成について図を用いて説明する。
図２〜図５に示すように、支持部１２０は、フード本体１１０の第１開口端１１２に設けられ、中心線ＣＬ方向に沿って延びている。支持部１２０の内径は、レンズ鏡筒２０の先端部２４の外径よりも大きく設定されている。このため、先端部２４は、支持部１２０に挿入可能である。
支持部１２０は、第１円筒部１２０ａと、第２円筒部１２０ｂと、を有している。第１円筒部１２０ａは、第１開口端１１２からフード本体１１０の外側に延びている。一方、第２円筒部１２０ｂは、第１開口端１１２からフード本体１１０の内側に（先端方向に）延びている。支持部１２０の内周部には、第１結合部１４０と、第２結合部１５０と、が設けられている。
【００２３】
また、第２円筒部１２０ｂの外周部と第１環部１１１ａの内周部の間にはスペースＳが設けられている。前述のように、第１環部１１１ａは、先端方向に向かうに従って中心線ＣＬから離れるように傾斜している。その結果、スペースＳが生じる。
スペースＳが設けられていない場合に、例えば合成樹脂を使ってレンズフード１００を一体成形すると、スペースＳに満たされた合成樹脂が冷却時に収縮して、いわゆるヒケが生じるおそれがある。レンズフード１００では、スペースＳが設けられているので、支持部１２０およびフード胴部１１１の厚みが概ね均一になり、ヒケによる変形を防止できる。したがって、レンズフード１００を成形するときに、形状のばらつきを抑制することができる。
＜３．３：第１結合部および第２結合部＞
第１結合部１４０は、第１円筒部１２０ａの内周部に設けられている。一方、第２結合部１５０は、第２円筒部１２０ｂの内周部に設けられている。つまり、第２結合部１５０は、フード本体１１０の内側に配置されている。
【００２４】
図３に示すように、第２結合部１５０は、支持部１２０を第１結合部１４０から先端方向に沿って進んだ位置に配置されている。言い換えれば、第２結合部１５０は第１結合部１４０および第１開口端１１２よりも第２開口端１１３側に配置されている。
第１結合部１４０および第２結合部１５０は、レンズ鏡筒２０の先端部２４に嵌め込み可能である。第１結合部１４０は、使用時にレンズフード１００がレンズ鏡筒２０に装着される場合に、先端部２４に嵌め込まれる（図２〜図４）。第２結合部１５０は、非使用時にレンズフード１００がレンズ鏡筒２０に装着される場合に、先端部２４に嵌め込まれる（図５（Ａ）および（Ｂ））。
また、第１開口端１１２は、中心線ＣＬ方向において第１結合部１４０と第２結合部１５０との間に配置されている。詳細には、第１開口端１１２と第１結合部１４０との中心線ＣＬ方向の距離Ｉ１は、第１開口端１１２と第２結合部１５０との中心線ＣＬ方向の距離Ｉ２と概ね等しい。ここで、距離Ｉ１および距離Ｉ２は、直ぐ後に述べる第１溝１４１の中心および第２溝１５１の中心を基準にして測った距離である。このように、第２結合部１５０は、第１結合部１４０から中心線ＣＬ方向に離れた位置に配置されている。
【００２５】
図７（Ａ）に示すように、第１結合部１４０は２つの第１係合部１４５を有している。第１係合部１４５は、円周方向に沿って等間隔に、つまり１８０度の間隔で形成されている。第１係合部１４５は円周方向に延びる第１溝１４１を有している。第１溝１４１は、レンズ鏡筒２０の先端部２４に設けられたバヨネット２４ａまたは２４ｂに嵌め込み可能である。第１溝１４１には、バヨネット２４ａまたは２４ｂを差し込むための入口部１４１ａが設けられている。第１溝１４１は、円周方向に延びており、入口部１４１ａから差し込まれたバヨネット２４ａおよび２４ｂを円周方向に案内する。
第２結合部１５０は２つの第２係合部１５５を有している。第２係合部１５５は、円周方向に沿って等間隔に、つまり１８０度の間隔で形成されている。第２係合部１５５は円周方向に延びる第２溝１５１を有している。第２溝１５１は、レンズ鏡筒２０の先端部２４に設けられたバヨネット２４ａおよび２４ｂに嵌め込み可能である。第２溝１５１には、バヨネット２４ａまたは２４ｂを差し込むための入口部１５１ａが設けられている。第２溝１５１は、円周方向に延びており、入口部１５１ａから差し込まれたバヨネット２４ａおよび２４ｂを円周方向に案内する。
【００２６】
入口部１５１ａは、円周方向において入口部１４１ａと反対の向きに開いている。そのため、第１結合部１４０を先端部２４に嵌め込むときのレンズ鏡筒２０に対するレンズフード１００の回転方向は、第２結合部１５０を先端部２４に嵌め込むときのレンズ鏡筒２０に対するレンズフード１００の回転方向と一致する。
図７（Ａ）に示すように、中心線ＣＬ方向から見たときに、第１係合部１４５の位置は、第２係合部１５５の位置と円周方向に９０度ずれている。そのため、第１結合部１４０がレンズ鏡筒２０の先端部２４に嵌め込まれたときのレンズ鏡筒２０に対するレンズフード１００の取り付け角度は、第２結合部１５０がレンズ鏡筒２０の先端部２４に嵌め込まれたときのレンズ鏡筒２０に対する取り付け角度と、円周方向に９０度ずれている。
具体的には、第１結合部１４０が先端部２４に嵌め込まれた場合は、第１突出部１１４が上下方向に対向する（図２）。これに対し、第２結合部１５０が先端部２４に嵌め込まれた場合は、第２突出部１１５が上下方向に対向する（図５（Ａ））。第２結合部１５０が先端部２４に嵌め込まれたときは、フラッシュ装置１６の前方の先端と第２突出部１１５と間には光軸方向に隙間が残されており、フラッシュ装置１６とレンズフード１００とが干渉することなく、レンズフード１００はレンズ鏡筒２０に装着される（図５（Ｂ））。
【００２７】
図３に示すように、第２結合部１５０は、第１結合部１４０が先端部２４に嵌め込まれたときに、光学系Ｌの光学有効領域の外側に配置される。具体的には、第２結合部１５０は、図面上で光路ＯＰの右側に配置されている。図３では、第２溝１５１が、本来の位置から中心線ＣＬの周りに９０度だけずれた位置に、一点鎖線で示されている。また、光路ＯＰは、光学有効領域の外縁を示している。このように、第２結合部１５０が光学有効領域の外側に配置されているため、光学系Ｌに導かれて被写体から撮像面１５に達する光は、支持部１２０によって遮られることがない。そのため、ケラレが生じることがない。
ここで、光学有効領域とは、撮像面１５上に到達する光が通る光路を意味しており、光学系Ｌおよび撮像面１５により決定される。光学有効領域の径（光軸ＡＸに直交する方向における光軸ＡＸから光学有効領域の外縁までの距離）が最大となるのは、光学系Ｌの焦点距離が最短（光学系Ｌの画角が最大）となる広角端の状態である。また、光学系Ｌの主点（図示せず）を通り撮像面１５の頂点１５ｅ〜１５ｆに到達する光が通る４本の光路ＯＰ（第１光路の一例）で光学有効領域の径が最大となる。したがって、第１結合部１４０が先端部２４に嵌め込まれた場合に、第２結合部１５０は、光学系Ｌが広角端の状態で光路ＯＰよりも外側に配置されていればよい。なお、図２および図３では、光路ＯＰは、図面上に重なるように光軸ＡＸの周りに回転された状態で示されている。
【００２８】
さらに、第２結合部１５０は、光学有効領域（光路ＯＰ）にできるだけ近づけて配置される。具体的には図３に示すように、第２結合部１５０は、中心線ＣＬ方向において、先端部２４に嵌め込まれた第１結合部１４０よりも交点ＰＸに近い位置に配置されている。第２結合部１５０から交点ＰＸまでの第１距離Ｑ１は、第２結合部１５０から第１結合部１４０までの第２距離Ｑ２よりも短い。第１距離Ｑ１および第２距離Ｑ２は、中心線ＣＬ方向における第１溝１４１および第２溝１５１の中心を基準とした距離である。交点ＰＸとは、光路ＯＰが直線ＳＬと交わる点を意味している。直線ＳＬとは、中心線ＣＬ方向に平行で支持部１２０の内周部（より詳細には、第１結合部１４０および第２結合部１５０の内周部）に接する線である。
このように、第２結合部１５０は可能な限りフード本体１１０の内側に入り込んだ位置に配置されている。
【００２９】
＜レンズフードの取り付け動作＞
本実施形態のレンズフード１００をレンズ鏡筒２０に取り付ける動作について、図を用いて説明する。なお、図７および図８においては、レンズ鏡筒２０は常に実線で示されている。
先ず、使用時にレンズフード１００がレンズ鏡筒２０に装着される場合を説明する。図７（Ａ）に示すように、第１突出部１１４が上下方向に対向する姿勢で、支持部１２０とレンズ鏡筒２０とが向き合わされる。
図７（Ａ）に示される状態から、レンズフード１００は被写体側から見て時計回りに概ね９０度回転される。概ね９０度回転された状態で、レンズフード１００は光軸方向に沿って押し進められ、先端部２４が支持部１２０に挿入される（図７（Ｂ））。
【００３０】
図７（Ｂ）に示される状態から、レンズフード１００は、被写体側から見て反時計回りに（図面上の矢印ａ１の方向）に回転される。レンズフード１００が回転すると、第１溝１４１がバヨネット２４ａおよび２４ｂに嵌め込まれ、レンズフード１００の装着が完了する（図７（Ｃ））。
レンズフード１００をレンズ鏡筒２０から取り外す動作は、装着する場合と逆の動作である。具体的には、レンズフード１００は、被写体側からみて時計回りにレンズ鏡筒２０に対して回転される。さらに、レンズフード１００は光軸方向に沿って先端部２４から引き抜かれ、取り外しが完了する。
次に、非使用時にレンズフード１００がレンズ鏡筒２０に装着される場合を説明する。図８（Ａ）に示すように、第１突出部１１４が上下方向に対向した姿勢で、フード本体１１０とレンズ鏡筒２０とが向き合わされる。
【００３１】
図８（Ａ）に示される状態から、レンズフード１００は被写体側から見て時計回りに概ね９０度回転される。概ね９０度回転された状態で、フード本体１１０はレンズ鏡筒２０に被せられる。さらに、レンズフード１００は光軸方向に沿って押し進められ、先端部２４が支持部１２０に挿入される（図８（Ｂ））。
図８（Ｂ）に示される状態から、レンズフード１００は、被写体側から見て反時計回りに（図面上の矢印ａ２の方向）に回転される。レンズフード１００が回転すると、第２溝１５１がバヨネット２４ａおよび２４ｂに嵌め込まれ、レンズフード１００の装着が完了する（図８（Ｃ））。
レンズフード１００では、第２結合部１５０はフード本体１１０の内側に配置されている。具体的には、第２結合部１５０の形成された第２円筒部１２０ｂは、先端方向に突出している。その結果、フード本体１１０をレンズ鏡筒２０被せたときに、第２突出部１１５とフラッシュ装置１６とが干渉することなく、第２結合部１５０はレンズ鏡筒２０の先端部２４の位置に到達する。
【００３２】
図５（Ａ）では、レンズフード１００は、レンズ鏡筒２０に被さった状態で装着されている。このとき、第２突出部１１５は、フラッシュ装置１６と干渉していない。つまり、図５（Ｂ）に示すように、第２突出部１１５とフラッシュ装置１６の前方の先端との間には隙間が残されている。また、レンズフード１００は、第１突出部１１４が概ね左右方向に対向するまで回転された状態でレンズ鏡筒２０に挿入される。そのため、非使用時にレンズフード１００がレンズ鏡筒２０に装着された場合に、第１突出部１１４は、フラッシュ装置１６と干渉しない。
＜レンズフードおよびデジタルカメラの特徴＞
以上に説明したレンズフード１００およびデジタルカメラ１の特徴は以下の通りである。
【００３３】
（１）このレンズフード１００では、第２結合部１５０が第１結合部１４０および第１開口端１１２よりも第２開口端１１３側に配置されているので、第２結合部１５０を先端部２４に嵌め込んでいる状態でレンズフード１００がカメラ本体部１０と干渉しにくくなる。このため、レンズ鏡筒２０が比較的小型の場合であっても、レンズフード１００として必要な寸法を確保しつつ、非使用時にレンズフードをレンズ鏡筒に装着することができる。
（２）このレンズフード１００では、第１開口端１１２が第１結合部１４０と第２結合部１５０の間に配置されているので、第１結合部１４０を先端部２４に嵌め込んだときと第２結合部１５０を先端部２４に嵌め込んだときとで、第１結合部１４０および第２結合部１５０に作用する力を概ね同じレベルにすることができる。したがって、第１結合部１４０や第２結合部１５０に大きな力が作用するのを抑制でき、レンズフード１００の破損を防止することができる。
【００３４】
（３）このレンズフード１００では、支持部１２０とフード胴部１１１との径方向間にスペースＳが形成されているので、支持部１２０およびフード胴部１１１の厚みが概ね均一になるようにレンズフード１００を成形することができる。このため、レンズフード１００の製造において形状のばらつきを抑制することができる。
（４）このレンズフード１００では、第１結合部１４０が先端部２４に嵌め込まれたときのレンズ鏡筒２０に対する取り付け角度が、第２結合部１５０が先端部２４に嵌め込まれたときのレンズ鏡筒２０に対する取り付け角度と異なっている。より詳細には、第１結合部１４０が先端部２４に嵌め込まれたときのレンズ鏡筒２０に対する取り付け角度が、第２結合部１５０が先端部２４に嵌め込まれたときのレンズ鏡筒２０に対する取り付け角度と９０度ずれている。このため、第２結合部１５０を先端部２４に嵌め込んだ際に、第２突出部１１５をフラッシュ装置１６と対向する位置に配置することができる。これにより、このレンズフード１００では、フード本体１１０の長さを大きく確保しつつ、より小型のレンズ鏡筒に装着することができる。
【００３５】
（５）このレンズフード１００では、第１溝１４１の入口部１４１ａが第２溝１５１の入口部１５１ａと円周方向で反対向きに開口している。このため、第１結合部１４０を先端部２４に嵌め込むときのレンズフード１００の回転方向は、第２結合部１５０を先端部２４に嵌め込むときのレンズフード１００の回転方向と一致する。つまり、レンズフード１００は、レンズ鏡筒２０へ装着されるときに、常に同じ方向に回される。その結果、ユーザーがレンズフード１００をレンズ鏡筒２０に装着する際に誤った動作をすることを防止でき、ユーザーの利便性が向上する。
（６）このレンズフード１００では、第２結合部１５０が光学有効領域に干渉しない範囲で可能な限り第１結合部１４０から離れた位置に設けられる。このため、撮影画像に悪影響を及ぼすことなく、フード本体１１０の長さを十分に確保できる。
〔第２実施形態〕
第２実施形態は、第１実施形態の変形例である。第１実施形態では、第１開口端１１２は、第１結合部１４０と第２結合部１５０の間に配置されているが、第１開口端１１２の位置はこれ以外であってもよい。なお以下の説明では、第１実施形態と実質的に同じ機能を有する構成には同じ符号を付し、その詳細な説明は省略する。
【００３６】
図９（Ａ）に示すように、第２実施形態に係るレンズフード２００では、第１開口端２１２の中心線ＣＬ方向（矢印ａ３の方向）の位置は、第１結合部１４０の中心線ＣＬ方向の位置と概ね一致している。
このように、レンズフード２００では、第２結合部１５０は、第１結合部１４０および第１開口端２１２よりも第２開口端１１３側に配置されている。その結果、レンズフード２００として必要な長さを確保しつつ、非使用時にレンズフード２００をレンズ鏡筒２０に装着することができる。
〔第３実施形態〕
第３実施形態は、第１実施形態の変形例である。第１実施形態では、第１結合部１４０はフード本体１１０の外側に配置されているが、第１結合部１４０は、フード本体１１０の内側に配置されていてもよい。以下の説明では、第１実施形態と実質的に同じ機能を有する構成には同じ符号を付し、その詳細な説明は省略する。
【００３７】
図９（Ｂ）に示すように、第３実施形態に係るレンズフード３００では、第１結合部１４０は、フード本体３１０の内側に配置されている。言い換えれば、レンズフード３００では、第１結合部１４０は、中心線ＣＬ方向（矢印ａ４の方向）において第２結合部１５０と第１開口端３１２の間に配置されている。
このように、レンズフード３００では、第２結合部１５０は、第１結合部１４０および第１開口端３１２よりも第２開口端１１３側に配置されている。その結果、レンズフード３００として必要な長さを確保しつつ、非使用時にレンズフード３００をレンズ鏡筒２０に装着することができる。
〔第４実施形態〕
第１実施形態では、レンズフード１００の第２結合部１５０はフード胴部１１１の第１開口端１１２よりも第２開口端１１３側に配置されていたが、第２結合部１５０と第１開口端１１２との位置関係はこれ以外であっても良い。
【００３８】
図１０（Ａ）および（Ｂ）には、第４実施形態に係るレンズフード４００が示されている。レンズフード４００は、レンズフード１００と異なり、フード胴部１１１の代わりにフード胴部４１１を有している。フード胴部４１１を有していることを除き、レンズフード４００の構成は、レンズフード１００の構成と実質的に同じである。なお以下の説明では、レンズフード１００と実質的に同じ機能を有する構成には同じ符号を付し、その詳細な説明は省略する。
図１０（Ａ）に示すように、フード胴部４１１は、第２環部１１１ｂと、第１開口端４１２を含むフランジ４１１ａと、第３環部４１１ｂと、を有している。フランジ４１１ａは、第１開口端４１２から径方向に突出しており、外周部で第３環部４１１ｂと連結されている。第３環部４１１ｂは、フランジ４１１ａから先端方向（矢印ａ５の方向）に向かって延びており、先端方向側で第２環部１１１ｂと連結されている。
【００３９】
レンズフード４００では、第１開口端４１２は、支持部４２０の先端方向側の端部に連結されていている。したがって、フード胴部４１１の第１開口端４１２は、第２結合部１５０よりも第２開口端１１３側に配置されている。このため、第１実施形態に係るレンズフード１００とは異なり、支持部４２０とフード胴部４１１との径方向間に空間が生じない。
一方で、フランジ４１１ａが第１開口端４１２から径方向に突出しているため、第２環部１１１ｂおよび第３環部４１１ｂは、中心線ＣＬから径方向に離れた位置に配置される。その結果、第１開口端４１２が支持部４２０の先端方向側の端部に連結されていても、フード胴部４１１とレンズ鏡筒２０とが干渉することなく、レンズフード４００は非使用時にレンズ鏡筒２０に取り付けられる（図１０（Ｂ））。
【００４０】
なお、第１実施形態に係るレンズフード１００では、前述のスペースＳが設けられているため、フード胴部１１１にフランジが設けられていなくても、非使用時にレンズフードをレンズ鏡筒に取り付けることができる（図５（Ｂ））。したがって、レンズフード４００との比較した場合に、レンズフード１００ではレンズフードの設計の自由度が向上する。
〔他の実施形態〕
本発明の具体的な構成は、前述の実施形態に限られるものではなく、発明の要旨を逸脱しない範囲で種々の変更および修正が可能である。
（１）前述の実施形態においては、デジタルカメラ１はデジタルスチルカメラに限られず、デジタルビデオカメラ、フィルム式のスチルカメラ、フィルム式のビデオカメラ、および撮影光学系を備えたその他の撮像装置であっても良い。
【００４１】
また、ＣＭＯＳイメージセンサ１４は他のイメージセンサ（例えばＣＣＤ（Ｃｈａｒｇｅ  Ｃｏｕｐｌｅｄ  Ｄｅｖｉｃｅ）イメージセンサ）であってもよい。
（２）前述の実施形態ではレンズ鏡筒２０はカメラ本体部１０と一体になっているが、レンズ鏡筒２０はレンズ交換式カメラの交換レンズユニットであっても良い。
また、前述の実施形態に係るレンズフードは、レンズフードを装着可能なレンズ鏡筒に適用可能であるので、レンズ鏡筒２０はズーム式でなくても良い。また、レンズ鏡筒２０が、沈胴しない構造である場合も考えられる。
（３）前述の実施形態では、フード１１０本体は概ね円筒状のいわゆる花形レンズフードであったが、それ以外の形状であってもよい。例えば、第１突出部１１４および第２突出部１１５が設けられるのではなく、突出の無い円形の開口を有するフード本体であっても良い。また、概ね長方形の開口を有する、いわゆる角型レンズフードなどが考えられる。
【００４２】
（４）前述の実施形態では、第１結合部１４０を先端部２４に嵌め込んだときの取り付け角度と、第２結合部１５０を先端部２４に嵌め込んだときの取り付け角度とのずれ角度は９０度であったが、ずれ角度は９０度でなくても良い。例えば、ずれ角度は、レンズフードの収納に最も適するように設定されていても良い。
（５）前述の実施形態に係るレンズフードでは、バヨネット機構が用いられていたが、レンズ鏡筒２０へ取り付けるためにそれ以外の機構が用いられても良い。例えば、レンズフード１００には、ネジを用いた取り付け機構が設けられてもよい。
（６）前述の実施形態においては、バヨネット機構の個数は２つに限られず、３つ以上であっても良い。
（７）前述の実施形態では、第１結合部１４０をレンズ鏡筒２０に取り付けるときのレンズフード１００の回転方向が、第２結合部１５０をレンズ鏡筒２０に取り付けるときのレンズフード１００の回転方向と同じであったが、回転方向は逆であっても良い。
【産業上の利用可能性】
【００４３】
本発明に係るレンズフードは不要光のレンズ鏡筒への入射を抑制できるので、撮像装置全般、特に小型化された撮像装置に用いられるレンズフードとして有用である。
【符号の説明】
【００４４】
１  デジタルカメラ（撮像装置の一例）
１０  カメラ本体部（本体部の一例）
１３  レリーズ釦
１４  ＣＭＯＳイメージセンサ（撮像素子の一例）
１５  撮像面
１６  フラッシュ装置
１６ａ  フラッシュ本体
１６ｂ  フラッシュ収納部
２０  レンズ鏡筒
２１  第１レンズ筒
２２  第２レンズ筒
２３  ズームレンズ
２４  先端部
２４ａ、２４ｂ  バヨネット
１００  レンズフード
１１０  フード本体
１１１  フード胴部
１１１ａ  第１環部
１１１ｂ  第２環部
１１２  第１開口端
１１３  第２開口端
１１４  第１突出部
１１５  第２突出部
１１６  切欠部
１２０  支持部
１２０ａ  第１円筒部
１２０ｂ  第２円筒部
１４０  第１結合部
１４１  第１溝
１４１ａ  入口部
１４５  第１係合部
１５０  第２結合部
１５１  第２溝
１５１ａ  入口部
１５５  第２係合部
２００  レンズフード（第２実施形態）
２１１  フード胴部
２１２  第１開口端
２２０  支持部
３００  レンズフード（第３実施形態）
３１１  フード胴部
３１２  第１開口端
３２０  支持部
４００  レンズフード（第４実施形態）
４１１  フード胴部
４１１ａ  フランジ
４１１ｂ  第３環部
４１２  第１開口端
４２０  支持部
Ｌ  光学系
ＯＰ  光路（第１光路の一例）
【図１】
2011128545.tif 000003
【図２】
2011128545.tif 000004
【図３】
2011128545.tif 000005
【図４】
2011128545.tif 000006
【図５】
2011128545.tif 000007
【図６】
2011128545.tif 000008
【図７】
2011128545.tif 000009
【図８】
2011128545.tif 000010
【図９】
2011128545.tif 000011
【図１０】
2011128545.tif 000012